(57)【要約】【課題】反射部における反射表示を行う場合の輝度を高めて視認性を向上させるとともに、透過部における透過表示を行う場合の色純度の低減を抑制することが可能であり、且つ、配線構造の複雑化および表示領域の狭小化を抑制することが可能な半透過型液晶表示パネル、半透過型液晶表示装置および半透過型液晶表示システムを提供する。【解決手段】本発明に係る半透過型液晶表示パネルＸは、透過型副画素電極２５はスイッチング素子２７ａを介してソース配線２２ａおよびゲート配線２３ａに接続され、反射型副画素はスイッチング素子２７ｂを介して透過型副画素電極２５とゲート配線２３ｂとに接続されている。【選択図】図２
2007264443.tif 000002
【特許請求の範囲】
【請求項１】
第１方向に配列される複数のソース配線および該ソース配線に対して交差する方向に配列される複数のゲート配線を備え、複数の画素が構成されている半透過型液晶表示パネルであって、
前記複数の画素の各々はカラーフィルタを介して一方側から入射した光を他方側へ透過するように構成される透過型副画素および前記他方側から入射した光を該他方側に反射するように構成される反射型副画素を含んでなり、
前記透過型副画素はスイッチング素子を介して前記複数のソース配線のうちの一のソース配線および前記複数のゲート配線における一のゲート配線に接続され、前記反射型副画素はスイッチング素子を介して前記透過型副画素と前記複数のゲート配線における別の一のゲート配線とに接続されていることを特徴とする半透過型液晶表示パネル。
【請求項２】
前記各画素において、前記透過型副画素は複数存在し、前記反射型副画素は該複数の透過型副画素全ての後段に位置している、請求項１に記載の半透過型液晶表示パネル。
【請求項３】
前記各画素において、前記反射型副画素は複数存在し、前記透過型副画素は該複数の反射型副画素全ての前段に位置している、請求項１または２に記載の半透過型液晶表示パネル。
【請求項４】
前記各画素における一または複数の反射型副画素のうちの前記透過型副画素側から第ｎ（ｎは自然数）段目の反射型副画素は全て一のゲート配線に接続されている、請求項１から３のいずれか一つに記載の半透過型液晶表示パネル。
【請求項５】
前記反射型副画素は、該反射型副画素に入射して反射される光の一部が通過するカラーフィルタを含んでなる、請求項４に記載の半透過型液晶表示パネル。
【請求項６】
前記反射型副画素は、前記透過型副画素のカラーフィルタとは色純度の異なるカラーフィルタを含んでなる、請求項４または請求項５に記載の半透過型液晶表示パネル。
【請求項７】
請求項１から６のいずれか一つに記載の半透過型液晶表示パネルと、該半透過型液晶表示パネルの一方主面に対向配置されるバックライトとを備えることを特徴とする半透過型液晶表示装置。
【請求項８】
請求項１から６のいずれか一つに記載の半透過型液晶表示パネルを含んで構成される半透過型液晶表示装置と、前記各副画素間を接続する各スイッチング素子が形成される前記ゲート配線を伝搬する信号の制御を行うための制御手段と、を備えることを特徴とする、半透過型液晶表示システム。
【発明の詳細な説明】
【技術分野】
【０００１】
本発明は、例えばスイッチング素子としてＴＦＴ（Thin Film Transistor：薄膜トランジスタ）を有するアクティブマトリクス型の半透過型液晶表示パネル、半透過型液晶表示装置および半透過型液晶表示システムに関するものである。
【背景技術】
【０００２】
近年、携帯型情報端末などの比較的小型の情報通信機器のみならず、モニタなどの比較的大型の電気機器にも、液晶表示装置などの表示パネルが普及してきているが、特に携帯型情報端末などでは消費電力の低減を図るべくバックライトを要しない反射型液晶表示装置が採用されている。しかしながら、反射型液晶表示装置は、外光（例えば太陽光）を光源としていることから、暗い室内などでは表示画像を認識することが困難となってしまう傾向があった。そこで、消費電力の低減を図りつつ且つ暗い室内などでも適切に表示画像を認識することができる液晶表示装置として、透過型と反射型との両方の性質を有する、いわゆる半透過型液晶表示装置の開発が行われてきている。
【０００３】
このような半透過型液晶表示装置は、一つの画素内にバックライトからの光を透過するための透過部と、外光を反射するための反射部とを有している。そのため、本構成の半透過型液晶表示装置では、暗い室内などではバックライトを使用して各画素の透過部を介して光を透過することにより画像を表示し、明るい屋外などでは外光を利用して各画素の反射部で光を反射することにより画像を表示することができる。したがって、本構成の半透過型液晶表示装置では、常時、バックライトを使用せずにすむため、消費電力を低減するうえで好適である。このような構成の半透過型液晶表示装置は、例えば特許文献１に開示されている。
【０００４】
しかしながら、特許文献１に開示される半透過型液晶表示装置では、バックライトの光は１回しかカラーフィルタを透過しないのに対し、外光は入射時と、反射偏光板で反射された後との２回透過することとなるため、反射部における光の透過率が透過部における光透過率に比べて低下してしまい、反射部で充分な輝度を確保することが困難となる場合があった。
【０００５】
そこで、反射部における光の利用効率を高められた半透過型液晶表示装置が開発され、例えば特許文献２および特許文献３に開示されている。特許文献２には、反射部におけるカラーフィルタの一部に欠落部（カラーフィルタが存在しない部位）を有する半透過型液晶表示装置が開示され、特許文献３には、反射部にカラーフィルタを設けない半透過型液晶表示装置が開示されている。
【特許文献１】特開２０００−１３１６８１号公報
【特許文献２】特開２００３−２７０６２３号公報
【特許文献３】特開２００１−１０８９８０号公報
【特許文献４】特開２００２−３３３８７０号公報
【発明の開示】
【発明が解決しようとする課題】
【０００６】
しかしながら、特許文献２および特許文献３に開示される半透過型液晶表示装置では、特許文献１に開示される半透過型液晶表示装置に比べて、反射部における色純度を低下させ、あるいは、モノクロ表示とすることにより、反射部における輝度を高め、反射表示の視認性を向上させることができるものの、透過表示をする際に反射部での反射表示が混在してしまうため、反射部における色純度の低下に起因して透過部における色純度が低下してしまうという問題があった。また、特許文献４に開示される半透過型液晶表示装置では、全ての副画素を個別に制御すべく独立駆動可能な構成とされているが、その分、配線数が増加するため、配線構造が複雑となるのに加え、表示パネルにおける画素の開口率が小さくなってしまう場合があった。
【０００７】
本発明は、このような事情のもとで考え出されたものであって、反射部における反射表示を行う場合の輝度を高めて視認性を向上させるとともに、透過部における透過表示を行う場合の色純度の低減を抑制することが可能であり、且つ、配線構造の複雑化および表示領域の狭小化を抑制することが可能な半透過型液晶表示パネル、半透過型液晶表示装置および半透過型液晶表示システムを提供することを、目的とする。
【課題を解決するための手段】
【０００８】
本発明の第１の側面に係る半透過型液晶表示パネルは、第１方向に配列される複数のソース配線および該ソース配線に対して交差する方向に配列される複数のゲート配線を備え、複数の画素が構成されている半透過型液晶表示パネルであって、前記複数の画素の各々はカラーフィルタを介して一方側から入射した光を他方側へ透過するように構成される透過型副画素および前記他方側から入射した光を該他方側に反射するように構成される反射型副画素を含んでなり、前記透過型副画素はスイッチング素子を介して前記複数のソース配線のうちの一のソース配線および前記複数のゲート配線における一のゲート配線に接続され、前記反射型副画素はスイッチング素子を介して前記透過型副画素と前記複数のゲート配線における別の一のゲート配線とに接続されていることを特徴としている。
【０００９】
本半透過型液晶表示パネルは、前記各画素において、前記透過型副画素が複数存在し、前記反射型副画素が該複数の透過型副画素全ての後段に位置しているのが好ましい。ここで、「後段」とは信号（画像信号）の伝搬系統が後にあることを意味する。
【００１０】
本半透過型液晶表示パネルは、前記各画素において、前記反射型副画素が複数存在し、前記透過型副画素が該複数の反射型副画素全ての前段に位置しているのが好ましい。ここで、「前段」とは信号（画像信号）の伝搬系統が前にあることを意味する。
【００１１】
本半透過型液晶表示パネルは、前記各画素における一または複数の反射型副画素のうちの前記透過型副画素側から第ｎ（ｎは自然数）段目の反射型副画素が全て一のゲート配線に接続されているのが好ましい。
【００１２】
本半透過型液晶表示パネルにおいて前記反射型副画素は、該反射型副画素に入射して反射される光の一部が通過するカラーフィルタを含んでなるのが好ましい。
【００１３】
本半透過型液晶表示パネルにおいて前記反射型副画素は、前記透過型副画素のカラーフィルタとは色純度の異なるカラーフィルタを含んでなるのが好ましい。
【００１４】
本発明の第２の側面に係る半透過型液晶表示装置は、本発明の第１の側面に係る半透過型液晶表示パネルと、該半透過型液晶表示パネルの一方主面に対向配置されるバックライトとを備えることを特徴としている。
【００１５】
本発明の第３の側面に係る半透過型液晶表示システムは、本発明の第１の側面に係る半透過型液晶表示パネルを含んで構成される半透過型液晶表示装置と、前記各副画素間を接続する各スイッチング素子が形成される前記ゲート配線を伝搬する信号の制御を行うための制御手段と、を備えることを特徴としている。
【発明の効果】
【００１６】
本発明の第１の側面に係る半透過型液晶表示パネルは、透過型副画素がスイッチング素子を介して複数のソース配線のうちの一のソース配線および複数のゲート配線における一のゲート配線に接続され、反射型副画素がスイッチング素子を介して透過型副画素と複数のゲート配線における別の一のゲート配線とに接続されている。そのため、本半透過型液晶表示パネルでは、各透過型副画素および各反射型副画素を個別に独立駆動させることができる。したがって、本半透過型液晶表示パネルでは、反射部において反射表示を行う場合の輝度を高めて視認性を向上させたとしても、例えば透過部の透過表示（カラー表示）を行なう際に、反射部の反射表示を黒表示とすることにより、反射表示が透過表示に重なることによって表示画像全体の色純度が低下してしまうのを抑制することができる。
【００１７】
また、本半透過型液晶表示パネルは、透過型副画素に反射型副画素を接続（従属）させる構造としたことにより、各副画素を個別に独立駆動可能な構成とする場合に比べて、配線構造を簡略化することができるのに加え、配線構造が簡略化される分、画素の開口率をより大きく確保することが可能となる。このように、画素の開口率を大きくすると、光の透過率および反射率を高めることができるので、同じバックライトを用いた場合に透過表示の輝度をより高めることができ、同じ周囲光量の場合に反射表示の輝度をより高めることができる。
【００１８】
本半透過型液晶表示パネルの前記各画素において、前記透過型副画素が複数存在し、前記反射型副画素が該複数の透過型副画素全ての後段に位置している場合、透過型副画素による透過表示を階調表示とすることができるため、輝度や色純度をより詳細に制御するうえで好適である。
【００１９】
本半透過型液晶表示パネルの前記各画素において前記反射型副画素が複数存在し、前記透過型副画素が該複数の反射型副画素全ての前段に位置している場合、反射型副画素による反射表示を階調表示とすることができるため、輝度や色純度をより詳細に制御するうえで好適である。
【００２０】
本半透過型液晶表示パネルで、前記各画素における一または複数の反射型副画素のうちの前記透過型副画素側から第ｎ（ｎは自然数）段目の反射型副画素が全て一のゲート配線に接続されている場合、配線構造の簡略化（例えば配線数や駆動回路数の低減）を図ることができるのに加え、第ｎ段目の反射型副画素に対して一括して信号を送信することが可能となる。
【００２１】
本半透過型液晶表示パネルにおいて前記反射型副画素が、該反射型副画素に入射して反射される光の一部が通過するカラーフィルタを含んでなる場合、輝度が高く且つ色純度が低い、比較的明るいカラーの反射表示を行うことが可能となる。
【００２２】
本半透過型液晶表示パネルにおいて前記反射型副画素が、前記透過型副画素のカラーフィルタとは色純度の異なるカラーフィルタを含んでなる場合、透過表示とは輝度および色純度の異なるカラーの反射表示を行うことが可能となるため、例えば透過型副画素に比べて反射型副画素のカラーフィルタの色純度を落とし且つ透過率を上げることにより、より明るい反射表示を得ることができる。
【００２３】
本発明の第２の側面に係る半透過型液晶表示装置は、本発明の第１の側面に係る半透過型液晶表示パネルを備えていることから、上述した本発明の第１の側面に係る半透過型液晶表示パネルの効果を享受できる。すなわち、本半透過型液晶表示装置では、反射部において反射表示を行う場合の輝度を高めて視認性を向上させたとしても、例えば透過部の透過表示（カラー表示）を行なう際に、反射部の反射表示を黒表示とすることにより、反射表示が透過表示に重なることによって表示画像全体の色純度が低下してしまうのを抑制することができる。また、本半透過型液晶表示装置は、各副画素を個別に独立駆動可能な構成とする場合に比べて、配線構造を簡略化することができるのに加え、配線構造が簡略化される分、画素の開口率をより大きく確保することが可能となる。
【００２４】
本発明の第３の側面に係る半透過型液晶表示システムは、本発明の第１の側面に係る半透過型液晶表示パネルを含んで構成される半透過型液晶表示装置を備えていることから、上述した本発明の第１の側面に係る半透過型液晶表示パネルの効果を享受できる。すなわち、本半透過型液晶表示システムでは、反射部において反射表示を行う場合の輝度を高めて視認性を向上させたとしても、例えば透過部の透過表示（カラー表示）を行なう際に、反射部の反射表示を黒表示とすることにより、反射表示が透過表示に重なることによって表示画像全体の色純度が低下してしまうのを抑制することができる。また、本半透過型液晶表示システムは、各副画素を個別に独立駆動可能な構成とする場合に比べて、配線構造を簡略化することができるのに加え、配線構造が簡略化される分、画素の開口率をより大きく確保することが可能となる。
【発明を実施するための最良の形態】
【００２５】
図１は、本発明の実施形態に係る半透過型液晶表示パネルＸの概略構成を表す断面図である。図２は、図１に示す半透過型液晶表示パネルＸの画素の一つの概略構成を表す平面図である。図３は、図２のIII−III線に沿った断面図である。
【００２６】
半透過型液晶表示パネルＸは、液晶層１０、第１基体２０、第２基体３０、および封止部材４０を備えており、第１基体２０と第２基体３０との間に液晶層１０を介在させ、該液晶層１０を封止部材４０により封止することにより、画像を表示するための複数の画素Ｇを含んでなる表示領域Ｐが構成されている。
【００２７】
液晶層１０は、電気的、光学的、力学的、あるいは時期的な異方性を示し、固体の規則性と液体の流動性を併せ持つ液晶を含んでなる層である。この液晶としては、ネマティック液晶、コレステリック液晶、スメクティック液晶などが挙げられるが、本実施形態においてはネマティック液晶を採用する。
【００２８】
第１基体２０は、透明基板２１、ソース配線２２ａ，２２ｂ、ゲート配線２３ａ，２３ｂ、補助容量部配線２４、透過型副画素電極２５、反射型副画素電極２６、スイッチング素子２７ａ，２７ｂ、および配向膜２８を備えている。
【００２９】
透明基板２１は、後述する透過型副画素電極２５、反射型副画素電極２６、および配向膜２８を支持し且つ液晶層１０を封止するのに寄与する部材であり、その主面に対して交差する方向に光を適切に透過することが可能な構成とされている。透明基板２１を構成する材料としては、ガラス、透光性プラスチックなどが挙げられる。
【００３０】
ソース配線２２ａ，２２ｂは、後述の透過型副画素電極２５および反射型副画素電極２６に所定の信号（画像信号）を伝搬するためのものであり、主として矢印ＡＢ方向に延びるように複数配列されている。
【００３１】
ゲート配線２３ａ，２３ｂは、後述のスイッチング素子２７ａ，２７ｂをＯＮもしくはＯＦＦさせるための信号（走査信号）を伝搬するためのものであり、主として矢印ＣＤ方向（本実施形態においては矢印ＡＢ方向に対して略直交する方向）に延びるように複数配列されている。ゲート配線２３ａ，２３ｂを構成する材料としては、クロム（Ｃｒ）、タンタル（Ｔａ）、Ａｌ、Ａｌ合金、モリブデン（Ｍｏ）、タングステン（Ｗ）、銅（Ｃｕ）などが挙げられる。
【００３２】
補助容量部配線２４は、液晶層１０と並列に容量を形成して充分な電圧保持状態を確保するためのものであり、後述する第２基体３０の表示電極３２に対して電気的に接続されている。この補助容量部配線２４と表示電極３２との接続構造は、第１基体２０において各画素Ｇの補助容量部配線２４を相互に接続したうえで、その一部を後述する封止部材４０あるいは第１基体２０と第２基体３０との間（ギャップ）に介在する導電性バンプ（図示せず）によって第２基体３０の表示電極３２に接続することにより達成される。
【００３３】
透過型副画素電極２５は、後述の第２基体３０の表示電極３２との間に位置する液晶層１０の液晶に所定の電圧を印加するための部材であり、一方（下方）側から入射した光を他方（上方）側に透過するように構成されている。透過型副画素電極２５は、後述するスイッチング素子２７ａ（具体的には、ドレイン配線２７４）を介してソース配線２２ａおよびゲート配線２３ａに接続されている。透過型副画素電極２５を構成する材料としては、ＩＴＯ（Indium Tin Oxide）や酸化錫などの透光性を有する導電部材が挙げられる。
【００３４】
反射型副画素電極２６は、後述の第２基体３０の表示電極３２との間に位置する液晶層１０の液晶に所定の電圧を印加するための部材であり、他方（上方）側から入射した光を他方側に反射するように構成されている。反射型副画素電極２６は、後述するスイッチング素子２７ｂ（具体的には、ドレイン配線２７４）を介して透過型副画素電極２５およびゲート配線２３ｂに接続されている。反射型副画素電極２６を構成する材料としては、アルミニウム（Ａｌ）やＡｌ合金（例えばＡｌＮｄやＡｌＴｉ）などのＡｌ系材料、銀（Ａｇ）やＡｇ合金（例えばＡｇＰｄ，ＡｇＰｄＣｕ，ＡｕＣｕＡｇ）などのＡｇ系材料、チタン（Ｔｉ）などの光反射性を有する金属が挙げられる。
【００３５】
ここで、透過型副画素電極２５と反射型副画素電極２６との平面視における面積比率は、必要に応じて適宜設定すればよいが、例えば後述する第２基体３０のカラーフィルタ３３の構成材料により光の透過量が異なるため、このカラーフィルタ３３の構成材料により上記面積比率を調整するようにしてもよいし、カラーフィルタ３３の厚さによっても光の透過量が異なるため、このカラーフィルタ３３の厚さにより上記面積比率を調整するようにしてもよい。例えば、赤色可視光の波長に変換させるカラーフィルタ３３を透過型副画素電極２５の上方にのみ設ける場合は該透過型副画素電極２５の面積比率を画素電極全体の３５％に設定し、緑色可視光の波長に変換させるカラーフィルタ３３を透過型副画素電極２５の上方にのみ設ける場合は該透過型副画素電極２５の面積比率を画素電極全体の２５％に設定し、青色可視光の波長に変換させるカラーフィルタ３３を透過型副画素電極２５の上方にのみ設ける場合は該透過型副画素電極２５の面積比率を画素電極全体の３５％に設定することにより、反射表示（反射モード）のホワイトバランスを黄色寄りにするとともに、透過表示（透過モード）のホワイトバランスを青色寄りにするように構成してもよい。
【００３６】
スイッチング素子２７ａ，２７ｂは、ソース配線２２ａ，２２ｂからの信号をドレイン配線２７４，２７４に伝搬するかしないかを制御するためのものであり、例えば薄膜トランジスタ（ＴＦＴ）などが挙げられる。スイッチング素子２７ａは、ゲート配線２３ａ、ゲート絶縁膜２７１、半導体層２７２、不純物を注入したｎ＋半導体層２７３、ソース配線２２ａ、ドレイン配線２７４、およびパシベーション層（絶縁層）２７５を含んで構成されている。ゲート絶縁膜２７１は、ゲート配線２３ａと半導体層２７２を絶縁するための部材である。ゲート絶縁膜２７１の構成材料としては、ＳｉＮ、ＳｉＯ２、Ｔａ２Ｏ３などが挙げられる。半導体層２７２は、ソース配線２２ａとドレイン配線２７４間の抵抗値を変化させるための部材である。半導体層２７２の構成材料としてはＳｉなどが挙げられる。不純物を注入したｎ＋半導体層２７３は、半導体層２７２とソース配線２２ａあるいはドレイン配線２７４との接触抵抗を小さくするための部材である。ドレイン配線２７４は、スイッチング素子２７ａを介してソース配線２２ａからの信号を透過型副画素電極２５に伝搬するための部材である。ドレイン配線２７４を構成する材料としては、Ｃｒ、Ｔａ、Ａｌ、Ａｌ合金、Ｍｏ、Ｗ、Ｃｕなどが挙げられる。パシベーション層２７５は、半導体層２７２などを保護するため部材である。パシベーション層２７５の構成材料としては、ＳｉＮ、ＳｉＯ２、Ｔａ２Ｏ３などが挙げられる。スイッチング素子２７ｂは、ゲート配線２３ｂ、ゲート絶縁膜２７１、半導体層２７２、ｎ＋半導体層２７３、ソース配線２２ｂ、ドレイン配線２７４、およびパシベーション層２７５を含んで構成されている。
【００３７】
配向膜２８は、マクロ的にランダムな方向を向く（規則性が小さい）液晶層１０の液晶分子を所定方向に配向させるためのものであり、透明基板２１上に形成されている。配向膜２８の構成材料としては、ポリイミド樹脂などが挙げられる。また、配向膜２８の厚さは、必要に応じて適宜設定すればよいが、例えば０．０５μｍに設定される。
【００３８】
第２基体３０は、透明基板３１、表示電極３２、カラーフィルタ３３、平坦化膜３４および配向膜３５を備えている。
【００３９】
透明基板３１は、後述する表示電極３２、カラーフィルタ３３、平坦化膜３４、および配向膜３５を支持し且つ液晶層１０を封止するのに寄与する部材であり、その主面に対して交差する方向に光を適切に透過することが可能な構成とされている。透明基板３１を構成する材料としては、透明基板２１を構成する材料と同様のものが挙げられる。
【００４０】
表示電極３２は、第１基体２０の透過型副画素電極２５あるいは反射型副画素電極２６との間に位置する液晶層１０の液晶に所定の電圧を印加するための部材であり、一方（下方）あるいは他方（上方）側から入射した光を他方（上方）あるいは一方（下方）側に透過するように構成されている。表示電極３２と透過型副画素電極２５および反射型副画素電極２６との対向領域は画素Ｇを構成しており、本実施形態において画素Ｇはマトリクス（行列）状に配列されている。表示電極３２を構成する材料としては、ＩＴＯや酸化錫などの透光性を有する導電部材が挙げられる。また、表示電極３２の厚さは、抵抗や光の透過率などを考慮して適宜設定すればよいが、例えば０．１２μｍに設定される。
【００４１】
カラーフィルタ３３は、該カラーフィルタ３３に入射した光のうち所定の波長を選択的に吸収し、所定の波長のみを選択的に透過させるための部材、例えばアクリル系樹脂に染料や顔料を添加させることにより構成される。カラーフィルタ３３としては、例えば赤色可視光の波長を選択的に透過させるための赤色カラーフィルタ（Ｒ）、緑色可視光の波長を選択的に透過させるための緑色カラーフィルタ（Ｇ）、青色可視光の波長を選択的に透過させるための青色カラーフィルタ（Ｂ）などが挙げられる。また、カラーフィルタ３３の厚さは、光の透過量などを考慮して適宜設定すればよいが、例えば１．０μｍに設定される。
【００４２】
平坦化膜３４は、カラーフィルタ３３を配置することにより生じる凹凸を平坦化するためのものである。平坦化膜３４を構成する材料としてはアクリル系樹脂などの透明樹脂が挙げられる。
【００４３】
配向膜３５は、マクロ的にランダムな方向を向く（規則性が小さい）液晶層１０の液晶分子を所定方向（例えば配向膜２８の配向方向と交差する方向）に配向させるためのものであり、透明基板３１上に形成されている。配向膜３５の構成材料としては、ポリイミド樹脂などが挙げられる。また、配向膜３５の厚さは、必要に応じて適宜設定すればよいが、例えば０．０５μｍに設定される。
【００４４】
封止部材４０は、第１基体２０と第２基体３０との間に液晶層１０を封止するのに寄与するとともに、第１基体２０と第２基体３０とを接合するためのものであり、例えば絶縁材料（絶縁性樹脂など）や導電性シール材（導電性粒子を含有してなるシール樹脂など）である。なお、封止部材４０として絶縁材料を採用する場合は、封止部材４０の内方に形成される封止領域において、導電性接続材（導電性バンプなど）を介して第１基体２０の補助容量部配線２４と第２基体３０の表示電極３２とを電気的に接続し、封止部材４０として導電性シール材を採用する場合は、該導電性シール材を介して第１基体２０の補助容量部配線２４と第２基体３０の表示電極３２とを電気的に接続する。
【００４５】
本実施形態に係る半透過型液晶表示パネルＸは、透過型副画素電極２５がスイッチング素子２７ａを介してソース配線２２ａおよびゲート配線２３ａに接続され、反射型副画素がスイッチング素子２７ｂを介して透過型副画素２５とゲート配線２３ｂとに接続されている。そのため、半透過型液晶表示パネルＸでは、透過型副画素電極２５および反射型副画素電極２６を個別に独立駆動させることができる。したがって、半透過型液晶表示パネルＸでは、反射部において反射表示を行う場合の輝度を高めて視認性を向上させたとしても、例えば透過部の透過表示（カラー表示）を行なう際に、反射部の反射表示を黒表示とすることにより、反射表示が透過表示に重なることによって表示画像全体の色純度が低下してしまうのを抑制することができる。
【００４６】
また、半透過型液晶表示パネルＸは、透過型副画素電極２５に反射型副画素電極２６を接続（従属）させる構造としたことにより、各副画素２５，２６を個別に独立駆動可能な構成とする従来の場合に比べて、配線構造を簡略化することができるのに加え、配線構造が簡略化される分、画素の開口率をより大きく確保することができる。このように、画素の開口率を大きくすると、光の透過率および反射率を高めることができるので、同じバックライトを用いた場合に透過表示の輝度をより高めることができ、同じ周囲光量の場合に反射表示の輝度をより高めることができる。
【００４７】
図４は、本発明に係る半透過型液晶表示パネルＸを備える半透過型液晶表示装置Ｙの概略構成を表す斜視図である。図５は、図４に示すＶ−Ｖ線に沿った断面図である。半透過型液晶表示装置Ｙは、半透過型液晶表示パネルＸ、２つの偏光板５０，５１、バックライト６０、および筐体７０を備えている。
【００４８】
偏光板５０，５１は、所定の振動方向の光を選択的に透過させるための部材である。本実施形態における偏光板５１は、偏光板５０の軸方向（この軸方向と平行な振動方向の光を選択的に透過させる）に対して直交するように配置されている。このような構成によると、偏光板５０，５１を透過する光のシャッタ機能を発揮するうえで好適である。なお、偏光板５０と透明基板２１との間や偏光板５１と透明基板３１との間には、必要に応じて位相差フィルムや拡散フィルタなどを配置してもよい。
【００４９】
バックライト６０は、半透過型液晶表示パネルＸの一方（下方）から他方（上方）に向けて光を照射するための部材であり、光源６１および導光板６２を備えている。光源６１は、導光板６２に向けて光を出射するためのものであり、蛍光管、ＬＥＤ（Light Emitting Diode）、ハロゲンランプ、キセノンランプ、ＥＬ（electro-luminescence）などが挙げられる。導光板６２は、光源６１からの光を半透過型液晶表示パネルＸの下面全体にわたって略均一に光を導くための部材である。導光板６２は、通常、裏面（下面）に設けられ、光を反射するための反射シート（図示せず）と、表面（上面）に設けられ、より均一な面状発光とすべく光を拡散するための拡散シート（図示せず）とを有している。導光板６２の構成材料としては、アクリル樹脂やポリカーボネート樹脂などの透明樹脂などが挙げられる。なお、本実施形態においてバックライト６０は、図４に示すようにエッジライト方式を採用しているものの、直下方式などの他の方式を採用してもよい。
【００５０】
筐体７０は、半透過型液晶表示パネルＸ、２つの偏光板５０，５１、およびバックライト６０を収容するための部材であり、上側筐体７１および下側筐体７１を含んで構成される。筐体７０を構成する材料としては、ポリカーボネート樹脂などの透明樹脂、ステンレス（ＳＵＳ）やＡｌなどの金属などが挙げられる。
【００５１】
本発明に係る半透過型液晶表示装置Ｙは、半透過型液晶表示パネルＸを備えていることから、上述した半透過型液晶表示パネルＸの効果を享受できる。
【００５２】
図６は、本発明に係る半透過型液晶表示パネルＸを備える半透過型液晶表示システムＺの要部を表す回路図である。半透過型液晶表示システムＺは、半透過型液晶表示パネルＸおよび制御部８０を備えている。
【００５３】
制御部８０は、半透過型液晶表示パネルＸの反射型副画素電極２６を一括制御して該反射型副画素電極２６の「ＯＮ／ＯＦＦ」を切り替えるためのものであり、ゲート配線２３ｂの一端に接続されている。なお、ゲート配線２３ｂは全てのスイッチング素子２７ｂに接続されているものとする。
【００５４】
ここで、制御部８０の制御により半透過型液晶表示パネルＸで反射表示を行う場合について説明する。まず、制御板８０によってゲート配線２３ｂに所定電圧（例えば１５Ｖ）を印加することにより、スイッチング素子２７ｂを「ＯＮ」にする。つまり、ゲート配線２３ｂは全てのスイッチング素子２７ｂに接続されているので、全てのスイッチング素子２７ｂを「ＯＮ」にする。次に、ゲート配線２３ａを「ＯＮ」にするタイミングでソース配線２２ａに信号を入力することにより、補助容量部配線２４、透過型副画素電極２５、および反射型副画素電極２６の全てに所定電位を供給する。これにより、透過型副画素電極２５および反射型副画素電極２６と表示電極３２との間に所定電位が印加されることとなり、上記入力信号（画像データ）に応じた液晶層１０の液晶分子の配列となる。以上のようにして、反射表示（モノクロ表示）を行うことができる。
【００５５】
また、制御部８０の制御により半透過型液晶表示パネルＸで透過表示を行う場合について説明する。まず、バックライト６０を点灯している状態で制御板８０によってゲート配線２３ｂに所定電圧（例えば−１２Ｖ）を印加することにより、スイッチング素子２７ｂを「ＯＦＦ」にする。つまり、ゲート配線２３ｂは全てのスイッチング素子２７ｂに接続されているので、全てのスイッチング素子２７ｂを「ＯＦＦ」にする。次に、ゲート配線２３ａを「ＯＮ」にするタイミングでソース配線２２ａに信号を入力することにより、補助容量部配線２４および透過型副画素電極２５の全てに所定電位を供給する。これにより、透過型副画素電極２５と表示電極３２との間に所定電位が印加されることとなり、上記入力信号（画像データ）に応じた液晶層１０の液晶分子の配列となる。以上のようにして、透過表示（カラー表示）を行うことができる。なお、ノーマリーブラック表示モードとしておくことにより、反射表示（モノクロ表示）を黒表示とすることができる。
【００５６】
本発明に係る半透過型液晶表示システムＺは、半透過型液晶表示パネルＸを備えていることから、上述した半透過型液晶表示パネルＸの効果を享受できる。
【００５７】
以上、本発明の具体的な実施形態を示したが、本発明はこれに限定されるものではなく、発明の思想から逸脱しない範囲内で種々の変更が可能である。
【００５８】
半透過型液晶表示パネルＸは、各画素Ｇにおいて、透過型副画素電極２５を複数有し、反射型副画素電極２６を複数の透過型副画素電極２５の後段に位置するように構成してもよい。このような構成によると、透過型副画素電極２５による透過表示を階調表示とすることができるため、輝度や色純度をより詳細に制御することができる。
【００５９】
半透過型液晶表示パネルＸは、各画素Ｇにおいて、反射型副画素電極２６を複数有し、透過型副画素電極２５を複数の反射型副画素電極２６の前段に位置するように構成してもよい。このような構成よると、反射型副画素電極２６による反射表示を階調表示とすることができるため、輝度や色純度をより詳細に制御することができる。
【００６０】
半透過型液晶表示パネルＸは、各画素Ｇにおける一または複数の反射型副画素電極２６のうちの透過型副画素電極２５側から第ｎ（ｎは自然数）段目の反射型副画素電極２６が全て一のゲート配線２３ｂに接続されるように構成してもよい。このような構成によると、配線構造の簡略化（例えば配線数や駆動回路数の低減）を図ることができるのに加え、第ｎ段目の反射型副画素に対して一括して信号を送信することができる。
【００６１】
半透過型液晶表示パネルＸは、図７に示すように、カラーフィルタ３３を、反射型副画素電極２６に入射して反射される光の一部も通過するカラーフィルタ３３’としてもよい。このような構成によると、反射部において輝度が高く且つ色純度が低い、比較的明るいカラーの反射表示を行うことができる。
【００６２】
半透過型液晶表示パネルＸは、図８に示すように、カラーフィルタ３３とは色純度の異なるカラーフィルタ３６を、反射型副画素電極２６に入射して反射される光が通過するように配置してもよい。このような構成によると、透過表示とは輝度および色純度の異なるカラーの反射表示を行うことが可能となるため、例えばカラーフィルタ３３に比べてカラーフィルタ３６の色純度を落とし且つ透過率を上げることにより、より明るい反射表示を得ることができる。なお、カラーフィルタ３３，３６の色純度の調整は、構成材料や厚さなどにより調整することができる。
【００６３】
半透過型液晶表示パネルＸは、カラーフィルタ３３間や各画素Ｇ間に遮光部材（ブラックマトリクス）を有する構成としてもよい。このような構成によると、表示画像のコントラスト比を高めることができる。
【図面の簡単な説明】
【００６４】
【図１】本発明の実施形態に係る半透過型液晶表示パネルの概略構成を表す断面図である。
【図２】図1に示す半透過型液晶表示パネルの画素の一つの概略構成を表す平面図である。
【図３】図２のIII−III線に沿った断面図である。
【図４】本発明に係る半透過型液晶表示パネルを備える半透過型液晶表示装置の概略構成を表す斜視図である。
【図５】図４に示すＶ−Ｖ線に沿った断面図である。
【図６】図１に示す半透過型液晶表示パネルを備える半透過型液晶表示システムの要部を表す回路図である。
【図７】本発明に係る半透過型液晶表示パネルの変形例を表す断面図である。
【図８】本発明に係る半透過型液晶表示パネルの変形例を表す断面図である。
【符号の説明】
【００６５】
Ｘ    半透過型液晶表示パネル
Ｙ    半透過型液晶表示装置
Ｚ    半透過型液晶表示システム
１０    液晶層
２０    第１基体
２１    透明基板
２２ａ，２２ｂ    ソース配線
２３ａ，２３ｂ    ゲート配線
２４    補助容量部配線
２５    透過型副画素電極
２６    反射型副画素電極
２７ａ，２７ｂ    スイッチング素子
２８    配向膜
３０    第２基体
３１    透明基板
３２    表面電極
３３    カラーフィルタ
３４    平坦化膜
３５    配向膜
【図１】
2007264443.tif 000003
【図２】
2007264443.tif 000004
【図３】
2007264443.tif 000005
【図４】
2007264443.tif 000006
【図５】
2007264443.tif 000007
【図６】
2007264443.tif 000008
【図７】
2007264443.tif 000009
【図８】
2007264443.tif 000010